(57)【要約】      （修正有）【課題】ボールの飛距離がアップすると共に、飛散しにくいゴルフィーを実現する。【解決手段】ゴルフボールを載置する載置部から垂設され、地面に差しこまれる差し込み部２の断面形状を左右方向の厚みに対して前後方向の厚みを薄くした扁平状にすると共に、それぞれの厚みを先端に向かって薄くなるように減少させ、さらに差し込部の左右端の一箇所または複数箇所に切り込み３を設ける。【選択図】図３
0003134954.tif 000002
【実用新案登録請求の範囲】
【請求項１】
ゴルフボールを載置する載置部から垂設され、地面に差しこまれる差し込み部の断面形状を左右方向の厚みに対して前後方向の厚みを薄くした扁平状にすると共に、それぞれの厚みを先端に向かって薄くなるように減少させ、さらに差し込部の左右端の一箇所または複数箇所に切り込みを設けたゴルフティー。
【請求項２】
差し込部の左右端に設けられる切り込みの箇所を左右でずらした請求項１記載のゴルフティー。
【請求項３】
差し込部の先端を点になるまで収束させないで、一定限度で左右方向の厚みを残すことによりへら状とした請求項１または２記載のゴルフティー。
【請求項４】
バイオマスプラスチックによりゴルフティーを成型した請求項１から３のいずれかに記載のゴルフティー。
【考案の詳細な説明】
【技術分野】
【０００１】
この考案は、ゴルフのティーショットの際に使用するゴルフティーに関する。
【背景技術】
【０００２】
ゴルフのショットの際にボールを打ちやすい高さに保持するために、ボールを載置するためのゴルフティーが使用されている。このゴルフティーは載置したボールを受け止めるための載置部と、その下方に支柱状に垂設される円柱状の差し込み部を有するプラスチック製または木製のもので、差し込み部を地面に差しこむことにより使用に供される。
【０００３】
ところで、ゴルフクラブでボールを打つ際にはクラブヘッドがゴルフティーも打撃する結果、地中に差しこまれたゴルフティーの反力がクラブを振り抜く動作に影響を及ばし、ボールの初速度が鈍り飛距離に影響が出る現象が下記の各特許文献において指摘されている。
【０００４】
上記の問題を解決するために例えば特許文献１にはブラシ状の部材によりボールを受け止めるゴルフティーが、特許文献２には載置部を差し込み部に対し蛇腹状の連結部で連結することにより可撓性を持たせたゴルフティーが、特許文献３には打撃により折損することを想定した部材により差し込み部を構成したゴルフティーが提案されている。
【０００５】
【特許文献１】特開２００６−３４０９０５号公報
【特許文献２】特開２００５−１８５３４０号公報
【特許文献３】特開２００１−１３７４１０号公報
【考案の開示】
【考案が解決しようとする課題】
【０００６】
前記の特許文献１に記載のゴルフティーおよび特許文献２に記載のゴルフティーは、打撃された際にその部分が弾性変形するので反力が小さく済み、また、その結果、差し込み部への打撃力が緩和されゴルフティーが打撃により地面から抜けにくい作用が得られる。しかしながら、構造が複雑となり、製造コストが嵩む問題があった。また、前記の特許文献３に記載のゴルフティーは差し込み部が折損することにより反力を少なくする構造なので、ショットのたびに折れた差し込み部を交換しなくてはならない不便さがあり、また、差し込み部が折れる結果、打撃された部分は必然的に飛散してしまう問題もあった。
【課題を解決するための手段】
【０００７】
この考案は、以上の従来技術の問題点を解消したゴルフティーを提供することを目的として創作されたものであり、ゴルフボールを載置する載置部から垂設され、地面に差しこまれる差し込み部の断面形状を左右方向の厚みに対して前後方向の厚みを薄くした扁平状にすると共に、それぞれの厚みを先端に向かって薄くなるように減少させ、さらに差し込部の左右端の一箇所または複数箇所に切り込みを設けたことを特徴とする。
【０００８】
また、ここでは第２考案として、前記の第１考案のゴルフティーにおいて、差し込部の先端を点になるまで収束させないで、一定限度で左右方向の厚みを残すことによりへら状としたゴルフティーも開示する。
【０００９】
また、第３考案として、前記の第１考案または第２考案のゴルフティーにおいて、バイオマスプラスチックにより成型したゴルフティーも開示する。
【考案の効果】
【００１０】
以上の構成よりなるこの考案のゴルフティーによれば、差し込み部の断面形状を、従来技術のゴルフティーのように太い円柱状でなく、左右方向の厚みに対して前後方向の厚みを薄くした扁平状にしているので、地面に差し込んだ際に土による左右方向（扁平面と平行する方向）への抵抗が少なくなる作用を生じる。よって、ショットにあたりゴルフティーを地面にセットする際に、ティーの扁平面がクラブのスイング方向と平行するように地面に差し込めば、打撃された際にティーは土を切り裂くように地中で傾動するので半力が最小限に止められ、クラブを振り抜く動作への影響が少なく、飛距離をアップすることが可能となる。
【００１１】
一方、前記の差し込部の左右端の一箇所または複数箇所に切り込みが設けられているので、ゴルフティーが地面より抜け出ようという方向に対してはこの切り込みが土に食いこんで抵抗となり、ティーが抜け出て飛散する事態が最小限にくい止められる。なお、この場合、上記切り込みによる抵抗作用はあくまでもティーの上昇方向に対してのみ働くので、打撃された際に土を切り裂くようにティーが地中で傾動する前記の作用には影響は与えない。
【００１２】
さらに、万が一、この発明のゴルフティーが地面を抜け出て飛散した場合でも、差し込み部が扁平になっているので、円柱状の差し込み部かならなる所従来技術のゴルフティーのように芝生を構成する各芝の間に落ち込むことがなく、芝同士の上に浮く状態で乗っかることが期待できるので発見が容易な効果を得られる。
【００１３】
次に、第２考案のゴルフティーによれば、差し込み部が扁平であることを利用して、その先端を点になるまで収束させないで、一定限度で左右方向の厚みを残すことによりへら状としているので、グリーン上のディポット（窪み）や傷を修正するためにも使用できるので、ゴルフティーをグリーンフォークと兼用することが可能となる。
【００１４】
また、第３考案のゴルフティーによればバイオマスプラスチックによりゴルフティーを成型しているので、飛散したティーを万が一発見できない場合でも、そのまま地中で分解して消滅するので、環境に対する負荷を小さくすることができる。
【考案を実施するための最良の形態】
【００１５】
以下、この考案のゴルフティーの具体的実施例を添付図面に基づいて説明する。ここのゴルフティーはゴルフボールＢを載置する載置部１と、その下方に支柱状に垂設される地面に差しむための差し込み部２からなる。上記の載置部１はボールＢを受け止めるための凹陥部を有する公知の構造のものであるが（図５参照）、差し込み部２はその断面形状を左右方向の厚みに対して前後方向の厚みを薄くした扁平状にすると共に、それぞれの厚みを先端に向かって薄くなるように減少させ、さらに差し込部の左右端の一箇所または複数箇所に切り込み３を設けている（図３参照）。
【００１６】
ここでは切り込み３として、円弧状のものを差し込部２の左右端にそれぞれ２箇所づつ左右で上下位置をずらしたものを例示しているが、切り込みの形状、数、位置はこれに限られないことはいうまでもない。
【００１７】
また、ここでは差し込部２の先端４を点になるまで収束させないで、一定限度で左右方向の厚みを残すことによりへら状としている。
【００１８】
以上のゴルフティーの素材としてここではバイオマスプラスチックを想定しているが、素材はこれに限られないことはいうまでもない。また、差し込部２は内部が中空となるように成型してもよい。
【図面の簡単な説明】
【００１９】
【図１】この考案のゴルフティーの正面図。
【図２】同上、右側面図。
【図３】同上、差し込み部の一部切り欠き斜視図。
【図４】この考案のゴルフティーの断面図。
【図５】この考案のゴルフティーの断面図。
【符号の説明】
【００２０】
１              載置部
２              差し込み部
３              切り欠き部
【図１】
0003134954.tif 000003
【図２】
0003134954.tif 000004
【図３】
0003134954.tif 000005
【図４】
0003134954.tif 000006
【図５】
0003134954.tif 000007